(57)【要約】【課題】電力使用量および電力使用量に対応するＣＯ２排出量と、ＣＯ２排出量に対応するメッセージを表示する。【解決手段】電力使用量に基づいてＣＯ２排出量が算出され、表示部３４０に表示されるＣＯ２排出量表示画面内に電気使用量（１日累計）、電気使用量（月累計）、電気使用量（前年比較）、ＣＯ２排出量（１日累計）、ＣＯ２排出量（月累計）、ＣＯ２排出量（前年比較）が表示領域３４１乃至３４６の対応する領域にそれぞれ表示されるとともに、ＣＯ２排出量に対応するメッセージがメッセージ表示領域３４７に表示される。【選択図】図４
2008097303.tif 000002
【特許請求の範囲】
【請求項１】
情報処理を行う情報処理部を有するＣＯ２排出量表示装置において、
前記情報処理部が、受信部を介して受信したエネルギー使用量を示すエネルギー使用量データと、ＣＯ２排出量計算用データとに基づいてＣＯ２排出量を算出する算出手段と、
前記情報処理部が、算出された前記ＣＯ２排出量を表示装置に表示するためのＣＯ２排出量表示データを生成するＣＯ２排出量表示データ生成手段と、
前記情報処理部が、前記ＣＯ２排出量に対応するメッセージを前記表示装置に表示するためのメッセージ表示データを生成するメッセージ表示データ生成手段と、
前記情報処理部が、生成された前記ＣＯ２排出量表示データと前記メッセージ表示データのうちの少なくともいずれかを前記表示装置に表示させる表示制御手段と、
を備えることを特徴とするＣＯ２排出量表示装置。
【請求項２】
前記情報処理部が、前記エネルギー使用量を前記表示装置に表示するためのエネルギー使用量表示データを生成するエネルギー使用量表示データ生成手段をさらに備える
ことを特徴とする請求項１に記載のＣＯ２排出量表示装置。
【請求項３】
前記ＣＯ２排出量表示データは、前記ＣＯ２排出量の前年実績値と当年実績値と目標値の少なくともいずれか１つを表示する表示データからなる
ことを特徴とする請求項１または２に記載のＣＯ２排出量表示装置。
【請求項４】
前記メッセージ表示データ生成手段は、前記ＣＯ２排出量の大小を利用者が実感できるような文言が含まれる前記メッセージを生成する、
ことを特徴とする請求項１乃至３のいずれかに記載のＣＯ２排出量表示装置。
【請求項５】
前記メッセージ表示データ生成手段は、前記ＣＯ２排出量に相当するＣＯ２を処理するために必要な木の本数を示す文言が含まれる前記メッセージを生成する、
ことを特徴とする請求項４に記載のＣＯ２排出量表示装置。
【請求項６】
前記メッセージ表示データ生成手段は、前記ＣＯ２排出量が過去の同時期の実績値を超過したとき、実績超過を警告する文言が含まれる前記メッセージを生成する
ことを特徴とする請求項１乃至５のいずれかに記載のＣＯ２排出量表示装置。
【発明の詳細な説明】
【技術分野】
【０００１】
本発明は、ＣＯ２排出量表示装置に関し、特に、電力やガス等のエネルギー使用量に対応するＣＯ２排出量を表示するＣＯ２排出量表示装置に関する。
【背景技術】
【０００２】
従来、電流値を検出し、その値に対して予めＲＯＭに記憶したデータに基づいて所定の演算を施し、得られたＣＯ２排出量をデジタル表示盤に表示するようにしたものがある（例えば、特許文献１参照）。
【０００３】
また、電気器具の連続使用時にその電圧および電流を測定して電力消費量を算出し、算出した電力消費量を表示手段に数値表示するとともに、単位あたりの電力精製で発生したＣＯ２排出量を係数として、上記電力消費量から換算したＣＯ２暫定排出量を表示手段に数値表示するようにしたものがある（例えば、特許文献２参照）。
【０００４】
【特許文献１】登実第３０６０１９５号公報
【特許文献２】特開平１１−２９５３５８号公報
【発明の開示】
【発明が解決しようとする課題】
【０００５】
しかしながら、従来の技術では、消費電力量に対応するＣＯ２排出量を表示することはできるが、そのＣＯ２排出量が数値によって表示されるため、ＣＯ２排出量が多いのか或いは少ないのかを実感することができないという問題があった。
【０００６】
本発明の目的は、利用者が消費電力量に対応するＣＯ２排出量の大小を実感できるようにすることである。
【課題を解決するための手段】
【０００７】
本発明のＣＯ２排出量表示装置は、情報処理を行う情報処理部を有するＣＯ２排出量表示装置において、前記情報処理部が、受信部を介して受信したエネルギー使用量を示すエネルギー使用量データと、ＣＯ２排出量計算用データとに基づいてＣＯ２排出量を算出する算出手段と、前記情報処理部が、算出された前記ＣＯ２排出量を表示装置に表示するためのＣＯ２排出量表示データを生成するＣＯ２排出量表示データ生成手段と、前記情報処理部が、前記ＣＯ２排出量に対応するメッセージを前記表示装置に表示するためのメッセージ表示データを生成するメッセージ表示データ生成手段と、前記情報処理部が、生成された前記ＣＯ２排出量表示データと前記メッセージ表示データのうちの少なくともいずれかを前記表示装置に表示させる表示制御手段と、を備える。
【発明の効果】
【０００８】
本発明によれば、エネルギー使用量に対応するＣＯ２排出量を表示するとともに、ＣＯ２排出量に対応するメッセージを表示するようにしたので、利用者はＣＯ２排出量の大小を実感することができ、省エネ意識を高めることができる。これにより、資源を有効利用することが可能となる。
【発明を実施するための最良の形態】
【０００９】
本発明の実施の一形態を図１乃至図１０に基づいて説明する。図１は、本発明が適用されるＣＯ２排出量表示システムの構成例を示すブロック図である。同図に示すように、本実施の形態は、電力会社に設置されたホストコンピュータ１００と、各家庭に設置された電気メータ２００と、電気メータ２００に接続されたＣＯ２表示器３００等から構成されている。
【００１０】
ホストコンピュータ１００は、各種処理を実行する図示しない制御部と、各種制御プログラムが展開されるとともに、各種データを一時的に記憶するＲＡＭ（Random Access Memory）と、ブートプログラムや各種データが格納されるＲＯＭ（Read Only Memory）と、通信回線を介して各家庭に設置された電気メータとデータの送受信を行う通信制御部と、各種データを表示する表示部と、各種データやコマンドを入力するための入力部等と、各種データを保存するハードディスクドライブ装置等から構成されている。
【００１１】
また、ホストコンピュータ１００は、後述するＣＯ２計算用データを所定のタイミングで電気メータ２００に送信するようになっている。また、電気メータ２００から送信されてきた電力使用量データおよびＣＯ２排出量データを受信し、各利用者毎（或いは、電気メータ２００の識別ＩＤ毎）にハードディスクドライブ装置に保存するようになっている。
【００１２】
電気メータ２００は、設置された家屋の電力使用量を計測するとともに、計測した電力使用量を示す電力使用量データをＣＯ２表示器３００およびホストコンピュータ１００にそれぞれ送信するようになっている。また、ホストコンピュータ１００から送信されてきたＣＯ２計算用データをＣＯ２表示器３００に送信するようになっている。
【００１３】
ＣＯ２表示器３００は、電気メータ２００から送信されてきた電力使用量データとＣＯ２計算用データとに基づいて、電力使用量に対応するＣＯ２排出量を算出し、表示するようになっている。また、算出したＣＯ２排出量を示すＣＯ２排出量データを電気メータ２００に送信するようになっている。
【００１４】
また、利用者が電力会社のホストコンピュータ１００が提供するＷｅｂサイトにアクセスするなどして、ＣＯ２排出量の履歴表示サービスの申し込みを行った場合には、利用者からの要求に応じて或いは定期的にＣＯ２排出量や電力使用量の履歴データが利用者に対して配信されるようになっている。
【００１５】
図２は、電気メータ２００の構成例を示すブロック図である。同図に示すように、電気メータ２００は、電力使用量（使用電力量）を計測し、計測結果を後述する通信制御部２３０を介してホストコンピュータ１００およびＣＯ２表示器３００にそれぞれ送信する使用電力量計測部２１０と、通信制御部２３０を介した各種データの送受信を制御するデータ送受信制御部２２０と、ホストコンピュータ１００およびＣＯ２表示器３００との間の各種データの送受信を行う通信制御部２３０等から構成されている。
【００１６】
図３は、ＣＯ２表示器３００の構成例を示すブロック図である。同図に示すように、ＣＯ２表示器３００は、制御部３１０と、記憶部３２０と、通信部３３０と、表示部３４０と、入力部３５０と、それらを接続するバス３６０等により構成されている。
【００１７】
制御部３１０は、通信制御部３１１と、表示制御部３１２と、入力制御部３１３と、データ管理部３１４と、ＣＯ２排出量算出部３１５等から構成されている。通信制御部３１１は、通信部３３０を制御して電気メータ２００から送信されてきた電力使用量データやＣＯ２計算用データを受信するとともに、電気メータ２００に対してＣＯ２排出量データを送信するようになっている。
【００１８】
表示制御部３１２は、表示部３４０を制御し、ＣＯ２排出量や電力使用量に対応する表示データを表示するようになっている。入力制御部３１３は、入力部３５０を制御し、入力部３５０の操作に応じたデータやコマンドを入力するようになっている。データ管理部３１４は、記憶部３２０にＣＯ２計算用データ、電力使用量データ、およびＣＯ２排出量データと、必要に応じてＣＯ２排出量に対応するメッセージ等を記憶させるようになっている。
【００１９】
ＣＯ２排出量算出部３１５は、記憶部３２０に記憶されている電力使用量データに基づいて、ＣＯ２計算用データに従って所定の演算を行い、ＣＯ２排出量を算出するようになっている。
【００２０】
記憶部３２０は、フラッシュメモリやハードディスクドライブ装置等で構成され、ＣＯ２計算用データ、電力使用量データ、およびＣＯ２排出量データと、必要に応じてＣＯ２排出量に対応するメッセージ等の各種データを記憶するようになっている。
【００２１】
通信部３３０は、通信制御部３１１の制御下、電気メータ２００から送信されてきた電力使用量データやＣＯ２計算用データを受信し、制御部３１０にバス３６０を介して供給するとともに、通信制御部３１１よりバス３６０を介して供給されたＣＯ２排出量データを電気メータ２００に対して送信するようになっている。
【００２２】
表示部３４０は、表示制御部３１２の制御下、後述するＣＯ２排出量や電力使用量に対応する表示データを表示するようになっている。入力部３５０は、入力制御部３１３の制御下、キー入力されたデータやコマンド等をバス３６０を介して制御部３１０に供給するようになっている。
【００２３】
図４は、表示部３４０に表示されるＣＯ２排出量表示画面の例を示している。図４に例示したＣＯ２排出量表示画面は、電気使用量（電力使用量）（１日累計）が表示される電気使用量（１日累計）表示領域３４１と、電気使用量（月累計）が表示される電気使用量（月累計）表示領域３４２と、電気使用量（前年比較）が表示される電気使用量（前年比較）表示領域３４３と、ＣＯ２排出量（１日累計）が表示されるＣＯ２排出量（１日累計）表示領域３４４と、ＣＯ２排出量（月累計）が表示されるＣＯ２排出量（月累計）表示領域３４５と、ＣＯ２排出量（前年比較）が表示されるＣＯ２排出量（前年比較）表示領域３４６と、ＣＯ２排出量に対応するメッセージが表示されるメッセージ表示領域３４７とから構成されている。
【００２４】
図５は、ＣＯ２排出量表示画面の電力使用量（前年比較）表示領域３４３の表示例を示している。図５に例示したように、電力使用量（前年比較）表示領域３４３には、前年の電力使用量と当年の電力使用量とが各月毎に表形式でそれぞれ表示されるので、当年の各月の電力使用量と前年同月の電力使用量とを容易に比較することができる。
【００２５】
図５に示した例では、前年電力使用量は、４月が７５（単位はキロワットアワー（ＫＷｈ）、以下では単位の記載は省略する）、５月が５７、６月が１１１、７月が１６３、８月が１３７、９月が１４０、１０月が７３、１１月が４９、１２月が１０７、１月が９２、２月が９７、３月が６７となっている。一方、当年電力使用量は、４月が６０、５月が４２、６月が９０、７月が１４５、８月が１７０、９月が１１０、１０月が５０、１１月が５５、１２月が８６、１月が８０、２月が７２、３月が４３となっている。
【００２６】
図６は、ＣＯ２排出量表示画面のＣＯ２排出量（前年比較）表示領域３４６の表示例を示している。図６に例示したように、ＣＯ２排出量（前年比較）表示領域３４６には、ＣＯ２排出量の前年実績値と、当年実績値と、目標値とが各月毎に表形式でそれぞれ表示されるので、当年の各月のＣＯ２排出量の実績値および目標値と、前年同月のＣＯ２排出量の実績値とを容易に比較することができる。
【００２７】
図６に示した例では、前年のＣＯ２排出量の実績値は、４月が９．０（キログラム／キロワットアワー（Ｋｇ／ＫＷｈ）、以下では単位の記載は省略する）、５月が６．８、６月が１３．３、７月が１９．６、８月が１６．４、９月が１６．８、１０月が８．８、１１月が５．９、１２月が１２．８、１月が１１．０、２月が１１．６、３月が８．０となっている。一方、当年のＣＯ２排出量の実績値は、４月が７．２、５月が５．０４、６月が１０．８、７月が１７．４、８月が２０．４、９月が１３．２、１０月が６．０、１１月が６．６、１２月が１０．３２、１月が９．６、２月が８．６４、３月が５．１６となっている。さらに、当年のＣＯ２排出量の目標値は、４月が８．１、５月が６．２、６月が１２．０、７月が１７．６、８月が１４．８、９月が１５．１、１０月が７．９、１１月が５．３、１２月が１１．６、１月が９．９、２月が１０．５、３月が７．２となっている。
【００２８】
図７は、ＣＯ２排出量表示画面のＣＯ２排出量（前年比較）表示領域３４６の他の表示例を示している。図７において、縦軸はＣＯ２排出量を表し、横軸は月（日）を表している。破線が前年実績値、一点鎖線が当年実績値、二点鎖線が目標値を表している。図７に例示したように、ＣＯ２排出量（前年比較）表示領域３４６には、ＣＯ２排出量の前年実績値と、当年実績値と、目標値とが各日毎にプロットされた折れ線グラフでそれぞれ表示されるので、当年の各月のＣＯ２排出量の実績値および目標値と、前年同月のＣＯ２排出量の実績値とを容易に比較することができる。
【００２９】
また、折れ線グラフの表示解像度によるが、当年の各日のＣＯ２排出量の実績値および目標値と、前年同日のＣＯ２排出量の実績値とを大雑把に比較することができる。図７に示した例の場合、当年の８月の実績値が、前年同月の実績値および当年同月の目標値を大きく超過していることが利用者によって容易に把握され得る。
【００３０】
図８は、ＣＯ２排出量表示画面のメッセージ表示領域３４７に表示されるメッセージの例を示している。図８に例示したメッセージは、ＣＯ２排出量の前年実績値に対するメッセージの例である。例えば、「前年１年間のＣＯ２排出量は１４０．０ｋｇでした。このＣＯ２を処理する場合、樹齢５０年の杉の木１０本が必要となります。」等のメッセージがメッセージ表示領域３４７に表示される。
【００３１】
図９は、ＣＯ２排出量表示画面のメッセージ表示領域３４７に表示されるメッセージの他の例を示している。図９に例示したメッセージは、ＣＯ２排出量の前年同月の実績超過に対するメッセージの例である。例えば、「前年同月と比較してＣＯ２排出量が○○ｋｇ増加しました。不要な電灯はこまめに消灯するなど省エネに心がけましょう。」等のメッセージがメッセージ表示領域３４７に表示される。
【００３２】
図１０は、ＣＯ２表示器３００の処理手順を示すフローチャートである。まず、ステップＳ１において、電気メータ２００から送信されてきた電力使用量データが通信部３３０によって受信され、バス３６０を介して制御部３１０の通信制御部３１１に供給されたか否かが判定される。
【００３３】
その結果、電力使用量データが通信部３３０によって受信されておらず、バス３６０を介して制御部３１０の通信制御部３１１に供給されていないと判定された場合、ステップＳ１の処理が繰り返し実行される。
【００３４】
一方、電気メータ２００から送信されてきた電力使用量データが通信部３３０によって受信され、バス３６０を介して制御部３１０の通信制御部３１１に供給されたと判定された場合、ステップＳ２に進む。ステップＳ２においては、通信制御部３１１に供給された電力使用量データがデータ管理部３１４の制御下、記憶部３２０に供給され、記憶される。
【００３５】
次に、ステップＳ３において、電気メータ２００から送信されてきたＣＯ２計算用データが通信部３３０によって受信され、バス３６０を介して制御部３１０の通信制御部３１１に供給されたか否かが判定される。
【００３６】
その結果、ＣＯ２計算用データが通信部３３０によって受信されておらず、バス３６０を介して制御部３１０の通信制御部３１１に供給されていないと判定された場合、ステップＳ５に進む。一方、電気メータ２００から送信されてきたＣＯ２計算用データが通信部３３０によって受信され、バス３６０を介して制御部３１０の通信制御部３１１に供給されたと判定された場合、ステップＳ４に進む。
【００３７】
ステップＳ４においては、ＣＯ２計算用データがデータ管理部３１４の制御下、記憶部３２０に供給され、記憶される。その後、ステップＳ６に進む。
【００３８】
ステップＳ５においては、ＣＯ２計算用データが既に受信済みであり、記憶部３２０に記憶されているか否かが判定される。ＣＯ２計算用データが受信されておらず、記憶部３２０に記憶されていないと判定された場合、ステップＳ３に戻り、ステップＳ３以降の処理が繰り返し実行される。一方、ＣＯ２計算用データが既に受信済みであり、記憶部３２０に記憶されていると判定された場合、ステップＳ６に進む。
【００３９】
ステップＳ６においては、ＣＯ２排出量算出部３１５により、記憶部３２０に記憶された電力使用量データとＣＯ２計算用データとに基づいて、電力使用量に対応するＣＯ２排出量が算出される。
【００４０】
次に、ステップＳ７において、算出されたＣＯ２排出量を示すＣＯ２排出量データは、データ管理部３１４の制御下、記憶部３２０に供給されて記憶されるとともに、通信制御部３１１の制御下、通信部３３０を介して電気メータ２００に送信される。電気メータ２００は、このＣＯ２排出量データを所定のタイミングでホストコンピュータ１００に送信する。
【００４１】
次に、ステップＳ８において、表示制御部３１２の制御下、電力使用量に対応して図５に示したような表が電気使用量（前年比較）表示領域３４３に表示される。また、算出されたＣＯ２排出量に対応して図６に示したような表、または図７に示したようなグラフが表示される。前年の電気使用量やＣＯ２排出量は、ＣＯ２表示器３００が適宜電気メータ２００を介してホストコンピュータ１００に要求することによって取得することができる。或いは、ホストコンピュータ１００から定期的にＣＯ２表示器３００に送信されるようにし、ＣＯ２表示器３００の記憶部３２０に保存しておくこともできる。
【００４２】
また、電気使用量（１日累計）、電気使用量（月累計）、ＣＯ２排出量（１日累計）、ＣＯ２排出量（月累計）についても、同様にして対応する表示領域にそれぞれ表示される。
【００４３】
また、算出されたＣＯ２排出量に対応して図８および図９に示したようなメッセージが生成され、算出されたＣＯ２排出量に対応する表示データと、生成されたメッセージとが、表示部３４０に表示されたＣＯ２排出量表示画面内に表示される。
【００４４】
ここで、メッセージの生成方法の例について説明する。前年実績に対するメッセージの場合、例えば、様々な実績値に対応して予め人手により作成されたメッセージデータを記憶部３２０に記憶させておき、実績値に対応するメッセージデータを記憶部３２０から読み出して表示部３４０に表示されたＣＯ２排出量表示画面内のメッセージ表示領域３４７に表示することができる。
【００４５】
或いは、電力会社のホストコンピュータ１００が各電気メータ２００に、様々な実績値に対応するメッセージデータを送信し、電気メータ２００経由でＣＯ２表示器３００がそのメッセージデータを受信し、記憶部３２０に記憶させておくこともできる。
【００４６】
或いは、ＣＯ２表示器３００が、必要に応じて所定の実績値に対応するメッセージデータを電気メータ２００を介してホストコンピュータ１００に逐次要求し、ホストコンピュータ１００から送信されてきたメッセージをＣＯ２排出量表示画面内のメッセージ表示領域３４７に表示することもできる。
【００４７】
前年同月の実績超過に対するメッセージの場合も基本的に同様である。例えば、様々な実績超過値（当年所定月実績値−前年同月実績値）に対応して予め人手により作成されたメッセージデータを記憶部３２０に記憶させておき、実績超過値に対応するメッセージデータを記憶部３２０から読み出して表示部３４０に表示されたＣＯ２排出量表示画面内のメッセージ表示領域３４７に表示することができる。
【００４８】
或いは、電力会社のホストコンピュータ１００が各電気メータ２００に、様々な実績超過値に対応するメッセージデータを送信し、電気メータ２００経由でＣＯ２表示器３００がそのメッセージデータを受信し、記憶部３２０に記憶させておくこともできる。
【００４９】
或いは、ＣＯ２表示器３００が、必要に応じて所定の実績超過値に対応するメッセージデータを電気メータ２００を介してホストコンピュータ１００に逐次要求し、ホストコンピュータ１００から送信されてきたメッセージをＣＯ２排出量表示画面内のメッセージ表示領域３４７に表示することもできる。
【００５０】
表示部３４０に表示されるＣＯ２排出量表示画面のメッセージ表示領域３４７には、図８に示した前年実績値に対するメッセージ、図９に示した前年同月の実績超過に対するメッセージの他にも、様々なメッセージを表示することができる。例えば、省エネ意識を高めるようなメッセージ「樹齢５０年の杉の木１本で１年間に約１４キログラム（ｋｇ）のＣＯ２を貯蔵することができます。」等を表示することもできる。
【００５１】
ステップＳ８の処理が終了すると、ステップＳ９に進み、ＣＯ２表示器の電源スイッチがオフされるなどして処理の終了が指示されたか否かが判定される。その結果、処理の終了が指示されていないと判定された場合、ステップＳ１に戻り、ステップＳ１以降の処理が繰り返し実行される。一方、処理の終了が指示されたと判定された場合、本処理を終了する。
【００５２】
また、将来、オール電化住宅において、住宅内に設置された家電製品毎の電力使用量が測定可能になり、各家電製品をコンセントを介して制御可能となった場合には、家電製品毎のＣＯ２排出量を測定し、表示したり、家電製品毎にメッセージを表示したりすることもできる。例えば、「エアコンの電力使用量に対応するＣＯ２排出量は、前年同月と比較して○○ｋｇ増加しました。設定温度を上げるなどして省エネに心がけましょう。」等のメッセージを表示することができる。或いは、自動制御によりエアコンの設定温度を上げるようにし、例えば、「エアコンの電力使用量に対応するＣＯ２排出量は、前年同月と比較して○○ｋｇ増加しました。省エネのため設定温度を１度上げました。」等のメッセージを表示することができる。
【００５３】
ＣＯ２排出量は、電力使用量（ＫＷｈ）にＣＯ２排出係数（Ｋｇ／ＫＷｈ）を乗算することにより算出することができる。例えば、ＣＯ２排出係数が０．１２（Ｋｇ／ＫＷｈ）の場合、電力使用量３０（ＫＷｈ）に対応するＣＯ２排出量は、３．６（＝３０×０．１２）（Ｋｇ）となる。
【００５４】
以上説明したように、本実施の形態によれば、ＣＯ２排出量に対応するメッセージを表示することができるので、利用者はＣＯ２排出量の大小を実感することができ、省エネ意識を高めることができる。
【産業上の利用可能性】
【００５５】
本発明は、電力使用によるＣＯ２排出量のみならず、ガス使用によるＣＯ２排出量の表示にも適用することができる。
【図面の簡単な説明】
【００５６】
【図１】本発明が適用されるＣＯ２排出量表示システムの構成例を示すブロック図である。
【図２】電気メータの構成例を示すブロック図である。
【図３】ＣＯ２表示器の構成例を示すブロック図である。
【図４】表示部に表示されるＣＯ２排出量表示画面例である。
【図５】ＣＯ２排出量表示画面の電力使用量（前年比較）表示領域の表示例である。
【図６】ＣＯ２排出量表示画面のＣＯ２排出量（前年比較）表示領域の表示例である。
【図７】ＣＯ２排出量表示画面のＣＯ２排出量（前年比較）表示領域の他の表示例である。
【図８】ＣＯ２排出量表示画面のメッセージ表示領域に表示されるメッセージの例を示す図である。
【図９】ＣＯ２排出量表示画面のメッセージ表示領域に表示されるメッセージの他の例を示す図である。
【図１０】ＣＯ２表示器の処理手順を示すフローチャートである。
【符号の説明】
【００５７】
３１２…表示制御部（ＣＯ２排出量表示データ生成手段、メッセージ表示データ生成手段、表示制御手段、エネルギー使用量表示データ生成手段）、３１５…ＣＯ２排出量算出部（算出手段）、Ｓ６…算出手段、Ｓ８…ＣＯ２排出量表示データ生成手段、メッセージ表示データ生成手段、表示制御手段、エネルギー使用量表示データ生成手段
【図１】
2008097303.tif 000003
【図２】
2008097303.tif 000004
【図３】
2008097303.tif 000005
【図４】
2008097303.tif 000006
【図５】
2008097303.tif 000007
【図６】
2008097303.tif 000008
【図７】
2008097303.tif 000009
【図８】
2008097303.tif 000010
【図９】
2008097303.tif 000011
【図１０】
2008097303.tif 000012